(57)【要約】      （修正有）【課題】利用者の生体活動に関する情報と、利用者の生体活動とは異なる現象に関する情報とを提供する。【解決手段】信号処理部は、第１信号処理と第２信号処理とを切り換えて行うように構成されている。信号処理部は、第１信号処理において、信号検知部31からのセンサ信号に含まれる利用者Pの生体活動に由来する第１信号成分に基づいて、利用者Pの生体活動に関する第１情報を生成して出力する。また、信号処理部は、第２信号処理において、信号検知部31からのセンサ信号に含まれる利用者Pの生体活動とは異なる現象に由来する第２信号成分に基づいて、利用者Pの生体活動とは異なる現象に関する第２情報を生成して出力する。【選択図】図１
2016087013.tif 000002
【特許請求の範囲】
【請求項１】
利用者（P）の生体活動の計測場所に設置され、振動に伴う圧力が作用して内圧が変化するチューブ状の感圧部（20）と、
上記感圧部（20）の内圧変化に応じたセンサ信号を出力する信号検知部（31）と、
第１信号処理と第２信号処理とを切り換えて行うように構成された信号処理部（52）とを備え、
上記信号処理部（52）は、
上記第１信号処理において、上記信号検知部（31）からのセンサ信号に含まれる上記利用者（P）の生体活動に由来する第１信号成分に基づいて、該利用者（P）の生体活動に関する第１情報を生成して出力し、
上記第２信号処理において、上記信号検知部（31）からのセンサ信号に含まれる上記利用者（P）の生体活動とは異なる現象に由来する第２信号成分に基づいて、該利用者（P）の生体活動とは異なる現象に関する第２情報を生成して出力するように構成されている
ことを特徴とする情報提供システム。
【請求項２】
請求項１において、
上記信号処理部（52）は、上記信号検知部（31）からのセンサ信号に基づいて上記計測場所における上記利用者（P）の在否を判定する在否判定処理を行い、該計測場所に該利用者（P）が存在すると判定した場合には上記第１信号処理を行い、該計測場所に該利用者（P）が存在しないと判定した場合には上記第２信号処理を行うように構成されている
ことを特徴とする情報提供システム。
【請求項３】
請求項１または２において、
上記信号検知部（31）は、上記感圧部（20）の内圧変化に対する上記センサ信号の感度を変更可能に構成され、
上記信号検知部（31）における上記センサ信号の感度は、上記第１信号処理において第１レベルに設定され、上記第２信号処理において該第１レベルよりも高い第２レベルに設定される
ことを特徴とする情報提供システム。
【請求項４】
請求項１〜３のいずれか１項において、
上記計測場所は、住居（91）に設けられ、
上記第２信号成分は、上記住居（91）における気象に由来する気象信号成分を含み、
上記第２情報は、上記住居（91）における気象に関する気象情報を含む
ことを特徴とする情報提供システム。
【請求項５】
請求項４において、
上記信号処理部（52）は、位置情報および時刻情報のうち少なくとも一方を上記気象情報に対応付けて出力するように構成されている
ことを特徴とする情報提供システム。
【請求項６】
請求項１〜３のいずれか１項において、
上記計測場所は、住居（91）に設けられ、
上記第２信号成分は、上記住居（91）における騒音に由来する騒音信号成分を含み、
上記第２情報は、上記住居（91）における騒音に関する騒音情報を含む
ことを特徴とする情報提供システム。
【請求項７】
請求項１〜３のいずれか１項において、
上記計測場所は、上記利用者（P）が運転者として着席する自動車（93）の運転席（94）に設けられ、
上記第１信号成分は、上記自動車（93）の運転者である上記利用者（P）の心拍に由来する心拍信号成分を含み、
上記第１情報は、上記自動車（93）の運転者である上記利用者（P）の眠気に関する眠気情報を含む
ことを特徴とする情報提供システム。
【請求項８】
請求項７において、
上記自動車（93）に設置され、上記信号処理部（52）からの眠気情報が上記利用者（P）に眠気があることを示している場合に、覚醒させるための刺激を該利用者（P）に与える覚醒処理部（71）をさらに備えている
ことを特徴とする情報提供システム。
【請求項９】
請求項１〜３のいずれか１項において、
上記計測場所は、上記利用者（P）が運転者として着席する自動車（93）の運転席（94）に設けられ、
上記第２信号成分は、上記自動車（93）に対する盗難行為に由来する盗難信号成分を含み、
上記第２情報は、上記自動車（93）に対する盗難行為に関する盗難情報を含む
ことを特徴とする情報提供システム。
【発明の詳細な説明】
【技術分野】
【０００１】
この発明は、情報提供システムに関し、特に、生体活動に関する情報を提供する情報提供システムに関する。
【背景技術】
【０００２】
従来、就寝者の体動を検知して、就寝者の生体情報を取得する生体情報取得装置が知られている。例えば、特許文献１には、感圧部（感圧チューブ）と受圧部と心拍抽出部とを備えた生体情報取得装置が開示されている。この生体情報取得装置では、就寝者の体動の変化に伴い感圧部の内圧が変化し、受圧部は、感圧部の内圧を受けて圧力信号を出力し、心拍抽出部は、受圧部より出力された圧力信号から心拍信号を抽出する。
【先行技術文献】
【特許文献】
【０００３】
【特許文献１】特開２０１４−１４７５９７号公報
【発明の概要】
【発明が解決しようとする課題】
【０００４】
ところで、特許文献１の生体情報取得装置では、就寝者の生体活動とは異なる現象（例えば、気象や騒音など）に伴う振動が感圧部に伝達されて感圧部の内圧が変化することが考えられる。しかしながら、特許文献１の生体情報取得装置は、感圧部の内圧変化に基づいて就寝者の生体活動に関する情報（例えば、就寝者の心拍や呼吸に関する情報）を取得することができるが、感圧部の内圧変化に基づいて就寝者の生体活動とは異なる現象に関する情報（例えば、気象や騒音に関する情報）を提供するように構成されていない。そのため、就寝者の生体活動とは異なる現象に伴う振動が作用して感圧部の内圧が変化することを有効に利用することができず、就寝者の生体活動とは異なる現象に関する情報を提供することができなかった。
【０００５】
そこで、この発明は、利用者の生体活動に関する情報と、利用者の生体活動とは異なる現象に関する情報とを提供することが可能な情報提供システムを提供することを目的とする。
【課題を解決するための手段】
【０００６】
第１の発明は、利用者（P）の生体活動の計測場所に設置され、振動に伴う圧力が作用して内圧が変化するチューブ状の感圧部（20）と、上記感圧部（20）の内圧変化に応じたセンサ信号を出力する信号検知部（31）と、第１信号処理と第２信号処理とを切り換えて行うように構成された信号処理部（52）とを備え、上記信号処理部（52）は、上記第１信号処理において、上記信号検知部（31）からのセンサ信号に含まれる上記利用者（P）の生体活動に由来する第１信号成分に基づいて、該利用者（P）の生体活動に関する第１情報を生成して出力し、上記第２信号処理において、上記信号検知部（31）からのセンサ信号に含まれる上記利用者（P）の生体活動とは異なる現象に由来する第２信号成分に基づいて、該利用者（P）の生体活動とは異なる現象に関する第２情報を生成して出力するように構成されていることを特徴とする情報提供システムである。
【０００７】
上記第１の発明では、利用者（P）の生体活動（例えば、心拍や呼吸など）に伴う振動が感圧部（20）に伝達されると、その振動に伴う圧力が感圧部（20）に作用して感圧部（20）の内圧が変化し、その結果、信号検知部（31）からのセンサ信号が変化する。これにより、利用者（P）の生体活動に由来する第１信号成分がセンサ信号に重畳される。そして、第１信号処理を行うことにより、利用者（P）の生体活動に関する第１情報を生成して出力することができる。
【０００８】
また、上記第１の発明では、利用者（P）の生体活動とは異なる現象（例えば、気象や騒音など）に伴う振動が感圧部（20）に伝達されると、その振動に伴う圧力が感圧部（20）に作用して感圧部（20）の内圧が変化し、その結果、信号検知部（31）からのセンサ信号が変化する。これにより、利用者（P）の生体活動とは異なる現象に由来する第２信号成分がセンサ信号に重畳される。そして、第２信号処理を行うことにより、利用者（P）の生体活動とは異なる現象に関する第２情報を生成して出力することができる。
【０００９】
第２の発明は、上記第１の発明において、上記信号処理部（52）は、上記信号検知部（31）からのセンサ信号に基づいて上記計測場所における上記利用者（P）の在否を判定する在否判定処理を行い、該計測場所に該利用者（P）が存在すると判定した場合には上記第１信号処理を行い、該計測場所に該利用者（P）が存在しないと判定した場合には上記第２信号処理を行うように構成されていることを特徴とする情報提供システムである。
【００１０】
上記第２の発明では、計測場所に該利用者（P）が存在すると判定した場合に第１信号処理を行うことにより、感圧チューブ（20）に利用者（P）の生体活動に伴う振動が主に伝達されている場合に、利用者（P）の生体活動に関する第１情報を生成して出力することができる。また、計測場所に利用者（P）が存在しないと判定した場合に第２信号処理を行うことにより、感圧チューブ（20）に利用者（P）の生体活動とは異なる現象に伴う振動が主に伝達されている場合に、利用者（P）の生体活動とは異なる現象に関する第２情報を生成して出力することができる。
【００１１】
第３の発明は、上記第１または第２の発明において、上記信号検知部（31）は、上記感圧部（20）の内圧変化に対する上記センサ信号の感度を変更可能に構成され、上記信号検知部（31）における上記センサ信号の感度は、上記第１信号処理において第１レベルに設定され、上記第２信号処理において該第１レベルよりも高い第２レベルに設定されることを特徴とする情報提供システムである。
【００１２】
上記第３の発明では、利用者（P）の生体活動とは異なる現象に伴う振動（感圧部（20）に伝達される振動）が、利用者（P）の生体活動に伴う振動（感圧部（20）に伝達される振動）よりも小さくなっている場合、第２信号処理におけるセンサ信号の変化は、第１信号処理におけるセンサ信号の変化よりも小さくなる。この場合、第２信号処理においてセンサ信号に含まれる第２信号成分が小さくなり、その結果、第２信号処理において第２情報を適切に生成することが困難となるおそれがある。また、第２信号処理におけるセンサ信号の変化を大きくするために、信号検知部（31）におけるセンサ信号の感度を高くすると、第１信号処理においてセンサ信号の変化が大きくなり過ぎて、第１信号処理において第１情報を適切に生成することが困難となるおそれがある。そのため、信号検知部（31）におけるセンサ信号の感度を、第１信号処理において第１レベルに設定し、第２信号処理において第１レベルよりも高い第２レベルに設定することにより、第１および第２信号処理の各々においてセンサ信号の変化を適切にすることができる。
【００１３】
第４の発明は、上記第１〜第３の発明のいずれか１つにおいて、上記計測場所は、住居（91）に設けられ、上記第２信号成分は、上記住居（91）における気象に由来する気象信号成分を含み、上記第２情報は、上記住居（91）における気象に関する気象情報を含むことを特徴とする情報提供システムである。
【００１４】
上記第４の発明では、信号処理部（52）は、第２信号処理において、信号検知部（31）からのセンサ信号に含まれる住居（91）における気象に由来する気象信号成分に基づいて、住居（91）における気象に関する気象情報を生成して出力する。
【００１５】
第５の発明は、上記第４の発明において、上記信号処理部（52）は、位置情報および時刻情報のうち少なくとも一方を上記気象情報に対応付けて出力するように構成されていることを特徴とする情報提供システムである。
【００１６】
上記第５の発明では、位置情報および時刻情報のうち少なくとも一方が対応付けられた気象情報を提供することができる。
【００１７】
第６の発明は、上記第１〜第３の発明のいずれか１つにおいて、上記計測場所は、住居（91）に設けられ、上記第２信号成分は、上記住居（91）における騒音に由来する騒音信号成分を含み、上記第２情報は、上記住居（91）における騒音に関する騒音情報を含むことを特徴とする情報提供システムである。
【００１８】
上記第６の発明では、信号処理部（52）は、第２信号処理において、信号検知部（31）からのセンサ信号に含まれる住居（91）における騒音に由来する騒音信号成分に基づいて、住居（91）における騒音に関する騒音情報を生成して出力する。
【００１９】
第７の発明は、上記第１〜第３の発明のいずれか１項において、上記計測場所は、上記利用者（P）が運転者として着席する自動車（93）の運転席（94）に設けられ、上記第１信号成分は、上記自動車（93）の運転者である上記利用者（P）の心拍に由来する心拍信号成分を含み、上記第１情報は、上記自動車（93）の運転者である上記利用者（P）の眠気に関する眠気情報を含むことを特徴とする情報提供システムである。
【００２０】
上記第７の発明では、信号処理部（52）は、第１信号処理において、信号検知部（31）からのセンサ信号に含まれる利用者（P）の心拍に由来する心拍信号成分に基づいて、利用者（P）の眠気に関する眠気情報を生成して出力する。
【００２１】
第８の発明は、上記第７の発明において、上記自動車（93）に設置され、上記信号処理部（52）からの眠気情報が上記利用者（P）に眠気があることを示している場合に、覚醒させるための刺激を該利用者（P）に与える覚醒処理部（71）をさらに備えていることを特徴とする情報提供システムである。
【００２２】
上記第８の発明では、運転者である利用者（P）を覚醒させることができる。
【００２３】
第９の発明は、上記第１〜第３の発明のいずれか１つにおいて、上記計測場所は、上記利用者（P）が運転者として着席する自動車（93）の運転席（94）に設けられ、上記第２信号成分は、上記自動車（93）に対する盗難行為に由来する盗難信号成分を含み、上記第２情報は、上記自動車（93）に対する盗難行為に関する盗難情報を含むことを特徴とする情報提供システムである。
【００２４】
上記第９の発明では、信号処理部（52）は、第２信号処理において、信号検知部（31）からのセンサ信号に含まれる自動車（93）に対する盗難行為に由来する盗難信号成分に基づいて、自動車（93）に対する盗難行為に関する盗難情報を生成して出力する。
【発明の効果】
【００２５】
第１の発明によれば、第１信号処理を行うことにより、利用者（P）の生体活動に関する第１情報を提供することができ、第２信号処理を行うことにより、利用者（P）の生体活動とは異なる現象に関する第２情報を提供することができる。
【００２６】
第２の発明によれば、感圧チューブ（20）に利用者（P）の生体活動に伴う振動が主に伝達されている場合に、利用者（P）の生体活動に関する第１情報を生成して出力することができ、感圧チューブ（20）に利用者（P）の生体活動とは異なる現象に伴う振動が主に伝達されている場合に、利用者（P）の生体活動とは異なる現象に関する第２情報を生成して出力することができるので、第１情報および第２情報を適切に提供することができる。
【００２７】
第３の発明によれば、第１および第２信号処理の各々においてセンサ信号の変化を適切にすることができるので、第１および第２信号処理を適切に行うことができる。
【００２８】
第４の発明によれば、第２信号処理を行うことにより、住居（91）における気象に関する気象情報を提供することができる。
【００２９】
第５の発明によれば、位置情報および時刻情報のうち少なくとも一方が対応付けられた気象情報を提供することができるので、位置毎や時間毎に気象情報を管理することができる。
【００３０】
第６の発明によれば、第２信号処理を行うことにより、住居（91）における騒音に関する騒音情報を提供することができる。
【００３１】
第７の発明によれば、第１信号処理を行うことにより、利用者（P）の眠気に関する眠気情報を提供することができる。
【００３２】
第８の発明によれば、運転者である利用者（P）を覚醒させることができるので、居眠り運転を防止することができる。
【００３３】
第９の発明によれば、第２信号処理を行うことにより、自動車（93）に対する盗難行為に関する盗難情報を提供することができる。
【図面の簡単な説明】
【００３４】
【図１】図１は、実施形態１による情報提供システムの構成について説明するための概略図である。
【図２】図２は、実施形態１による情報提供システムの構成について説明するためのブロック図である。
【図３】図３は、実施形態１における感圧チューブの設置について説明するための概略斜視図である。
【図４】図４は、実施形態１における信号処理部による動作について説明するためのフローチャートである。
【図５】図５は、実施形態１における第１信号処理の具体例（ストレス情報）について説明するためのフローチャートである。
【図６】図６は、実施形態１における第２信号処理の具体例（気象情報）について説明するためのフローチャートである。
【図７】図７(Ａ)は、雨が降っていない場合のセンサ信号の周波数特性について説明するためのグラフであり、図７(Ｂ)は、雨が降っている場合のセンサ信号の周波数特性について説明するためのグラフである。
【図８】図８は、実施形態１における第２信号処理の具体例（騒音情報）について説明するためのフローチャートである。
【図９】図９は、実施形態２による情報提供システムの構成について説明するための概略図である。
【図１０】図１０は、実施形態２による情報提供システムの構成について説明するためのブロック図である。
【図１１】図１１は、実施形態２における信号処理部による動作について説明するためのフローチャートである。
【図１２】図１２は、実施形態２における第１信号処理の具体例（眠気情報）について説明するためのフローチャートである。
【図１３】図１３は、実施形態２における第２信号処理の具体例（盗難情報）について説明するためのフローチャートである。
【発明を実施するための形態】
【００３５】
以下、実施の形態を図面を参照して詳しく説明する。なお、図中同一または相当部分には同一の符号を付しその説明は繰り返さない。
【００３６】
（実施形態１）
図１および図２は、実施形態１による情報提供システム（10）の構成例を示している。情報提供システム（10）は、感圧チューブ（20）と、センサユニット（30）と、インターフェイスユニット（40）と、操作ユニット（50）とを備えている。この例では、情報提供システム（10）は、集合住宅の一つの住居（91）に設けられている。また、情報提供システム（10）は、通信ネットワーク（例えば、インターネットなど）を経由して外部センタ（この例では、気象情報管理センタ（61）と集合住宅管理センタ（62））と接続されている。
【００３７】
〔感圧チューブ（感圧部）〕
感圧チューブ（20）は、チューブ状に形成され、振動に伴う圧力が作用して内圧が変化するように構成されている。具体的には、感圧チューブ（20）は、内径が約４ｍｍの樹脂製（例えば、塩化ビニル製）のチューブによって構成され、その一端が封止部（図示を省略）によって閉塞され、その他端がセンサユニット（30）に接続されている。このように構成することにより、振動に伴う圧力が感圧チューブ（20）に作用すると、感圧チューブ（20）の内圧が変化する。
【００３８】
また、感圧チューブ（20）は、利用者（P）の生体活動（例えば、心拍や呼吸など）の計測場所に設置される。具体的には、感圧チューブ（20）は、計測場所に利用者（P）が存在する場合に、その利用者（P）の生体活動に伴う振動が伝達されるように、計測場所に設置される。この例では、計測場所は、感圧チューブ（20）は、住居（91）内に設置されたソファ（92）の座部に設けられている。具体的には、図１および図３に示すように、感圧チューブ（20）は、住居（91）内に設置されたソファ（92）の座部の表面近傍に配置され、座部の幅方向（左右方向）に真っ直ぐに延びている。このように設置することにより、利用者（P）がソファ（92）に座ると、その利用者（P）の生体活動に伴う振動が感圧チューブ（20）に伝達される。
【００３９】
〔センサユニット〕
センサユニット（30）は、信号検知部（31）とセンサ処理部（32）とを備えている。
【００４０】
〈信号検知部〉
信号検知部（31）は、感圧チューブ（20）の内圧変化に応じたセンサ信号を出力する。この例では、信号検知部（31）は、感圧チューブ（20）の内圧変化に対するセンサ信号の感度（感圧チューブ（20）の内圧変化量に対するセンサ信号の振幅変化量）を変更可能に構成されている。具体的には、信号検知部（31）は、受圧部（31a）と増幅部（31b）とを有している。受圧部（31a）は、感圧チューブ（20）の他端に接続され、感圧チューブ（20）の内圧変化を圧力信号（電気信号）に変換する。例えば、受圧部（31a）は、マイクロフォンによって構成されている。増幅部（31b）は、受圧部（31a）によって得られた圧力信号を増幅する。また、この例では、増幅部（31b）は、増幅度を変更可能に構成されている。例えば、増幅部（31b）は、増幅利得を変更可能な可変アンプによって構成されている。増幅部（31b）において増幅された圧力信号は、センサ信号として出力される。
【００４１】
〈センサ処理部〉
センサ処理部（32）は、信号検知部（31）からのセンサ信号を、インターフェイスユニット（40）を経由して操作ユニット（50）へ送信する。具体的には、センサ処理部（32）は、信号検知部（31）からのセンサ信号に所定の信号処理（例えば、アナログ/デジタル変換処理やデータ送信のための処理など）を施し、処理後のセンサ信号をインターフェイスユニット（40）へ送信する。また、センサ処理部（32）は、操作ユニット（50）と通信可能に構成されている。例えば、センサ処理部（32）は、ＣＰＵやメモリ（ＣＰＵを動作させるためのプログラムを格納するメモリ）やアナログ/デジタル変換器などによって構成されている。
【００４２】
〔インターフェイスユニット〕
インターフェイスユニット（40）は、センサユニット（30）と操作ユニット（50）との間の通信（信号の送受）を中継する。例えば、インターフェイスユニット（40）は、センサユニット（30）から受信したセンサ信号を操作ユニット（50）へ送信する。なお、インターフェイスユニット（40）とセンサユニット（30）との間の通信は、ＵＳＢケーブルなどの通信ケーブルを利用した有線通信であってもよいし、ＷｉＦｉなどの無線通信規格に準拠した無線通信であってもよい。これと同様に、インターフェイスユニット（40）と操作ユニット（50）との間の通信は、有線通信であってもよいし無線通信であってもよい。
【００４３】
〔操作ユニット〕
操作ユニット（50）は、インターフェイス部（51）と信号処理部（52）と表示部（53）とを備えている。例えば、操作ユニット（50）は、各種機能を備えたタブレット端末（情報端末）によって構成されている。
【００４４】
〈インターフェイス部〉
インターフェイス部（51）は、信号処理部（52）とセンサユニット（30）との間の通信（信号の送受）や信号処理部（52）と外部センタ（この例では、気象情報管理センタ（61）および集合住宅管理センタ（62））との間の通信を中継する。例えば、インターフェイス部（51）は、センサユニット（30）からインターフェイスユニット（40）を経由して受信したセンサ信号を信号処理部（52）へ供給する。
【００４５】
〈信号処理部〉
信号処理部（52）は、センサユニット（30）や外部センタ（この例では、気象情報管理センタ（61）および集合住宅管理センタ（62））と通信可能に構成されている。また、信号処理部（52）は、信号検知部（31）からのセンサ信号（詳しくは、信号検知部（31）からセンサ処理部（32）とインターフェイスユニット（40）とインターフェイス部（51）とを経由して信号処理部（52）に供給されたセンサ信号）を処理して情報を出力するように構成されている。例えば、信号処理部（52）は、ＣＰＵやメモリ（ＣＰＵを動作させるためのプログラムを格納するメモリ）などによって構成されている。なお、信号処理部（52）による動作については、後で詳しく説明する。
【００４６】
〈表示部〉
表示部（53）は、信号処理部（52）からの情報を処理して画像を表示するように構成されている。例えば、表示部（53）は、液晶パネルや駆動回路（液晶パネルを駆動させる駆動回路）などによって構成されている。
【００４７】
〔センサ信号に重畳される信号成分〕
次に、信号検知部（31）からのセンサ信号に重畳される信号成分について説明する。センサ信号に重畳される信号成分は、感圧チューブ（20）に伝達される振動に依存している。なお、感圧チューブ（20）に伝達される振動は、利用者（P）の生体活動（例えば、心拍や呼吸）に伴う振動と、利用者（P）の生体活動とは異なる現象（例えば、気象や騒音など）に伴う振動とに大別される。
【００４８】
利用者（P）が計測場所に存在する場合（この例では、利用者（P）がソファ（92）に座っている場合）、感圧チューブ（20）には、主に、利用者（P）の生体活動に伴う振動が伝達される。利用者（P）の生体活動に伴う振動が感圧チューブ（20）に伝達されると、その振動に伴う圧力が感圧チューブ（20）に作用して感圧チューブ（20）の内圧が変化し、その結果、信号検知部（31）からのセンサ信号が変化する。これにより、利用者（P）の生体活動に由来する第１信号成分がセンサ信号に重畳される。なお、利用者（P）の生体活動に伴う振動は、固有の信号成分を有している。すなわち、センサ信号に重畳された第１信号成分は、利用者（P）の生体活動に伴う振動に固有の信号成分に対応している。したがって、センサ信号に含まれる第１信号成分に基づいて、利用者（P）の生体活動を評価することが可能である。
【００４９】
一方、利用者（P）が計測場所に存在しない場合（この例では、利用者（P）がソファ（92）に座っていない場合）、感圧チューブ（20）には、主に、利用者（P）の生体活動とは異なる現象に伴う振動が伝達される。利用者（P）の生体活動とは異なる現象に伴う振動が感圧チューブ（20）に伝達されると、その振動に伴う圧力が感圧チューブ（20）に作用して感圧チューブ（20）の内圧が変化し、その結果、信号検知部（31）からのセンサ信号が変化する。これにより、利用者（P）の生体活動とは異なる現象に由来する第２信号成分がセンサ信号に重畳される。なお、利用者（P）の生体活動とは異なる現象に伴う振動は、固有の信号成分を有している。すなわち、センサ信号に重畳された第２信号成分は、利用者（P）の生体活動とは異なる現象に伴う振動に固有の信号成分に対応している。したがって、センサ信号に含まれる第２信号成分に基づいて、利用者（P）の生体活動とは異なる現象を評価することが可能である。
【００５０】
〔信号処理部による動作〕
次に、図４を参照して、実施形態１における信号処理部（52）による動作について説明する。信号処理部（52）は、図４に示した動作を周期的に繰り返し行う。具体的には、信号処理部（52）は、在否判定処理（ステップ（ST13））の結果に応じて、第１信号処理（ステップ（ST15））と第２信号処理（ステップ（ST17））とを切り換えて行うように構成されている。また、信号処理部（52）は、在否判定処理（ステップ（ST13））の結果に応じて、信号検知部（31）におけるセンサ信号の感度を調節する処理（ステップ（ST14,ST16））を行うように構成されている。
【００５１】
〈ステップ（ST11）〉
まず、信号処理部（52）は、信号検知部（31）におけるセンサ信号の感度を所定レベル（この例では、第１レベル）に設定する。具体的には、信号処理部（52）は、増幅部（31b）の増幅度を所定レベルに設定することを示した制御指令を、インターフェイス部（51）およびインターフェイスユニット（40）を経由してセンサ処理部（32）へ送信する。センサ処理部（32）は、信号処理部（52）から制御指令に応答して、増幅部（31b）の増幅度を所定レベルに設定する。これにより、信号検知部（31）におけるセンサ信号の感度が所定レベル（信号処理部（52）によって指定されたレベル）に設定される。
【００５２】
〈ステップ（ST12）〉
次に、信号処理部（52）は、信号検知部（31）からのセンサ信号（詳しくは、信号検知部（31）からセンサ処理部（32）とインターフェイスユニット（40）とインターフェイス部（51）と経由して信号処理部（52）に供給されたセンサ信号）の中から、計測場所における利用者（P）の在否を判定するための信号成分を抽出する。この例では、信号処理部（52）は、センサ信号の中から利用者（P）の心拍に由来する心拍信号成分を抽出する。例えば、信号処理部（52）は、センサ信号の中から通常の心拍の回数である４０〜１２０拍／分に相当する信号成分（周波数成分）を心拍信号成分として抽出する。
【００５３】
〈ステップ（ST13）〉
次に、信号処理部（52）は、ステップ（ST12）において抽出された信号成分に基づいて、計測場所における利用者（P）の在否を判定する。例えば、信号処理部（52）は、心拍信号成分の振幅が閾値以上となる継続時間が予め設定された存在判定時間（例えば、１０分間）よりも長い場合に、継続場所に利用者（P）が存在すると判定し、そうでない場合に、計測場所に利用者（P）が存在しないと判定する。計測場所に利用者（P）が存在すると判定した場合にはステップ（ST14）へ進み、そうでない場合にはステップ（ST16）へ進む。
【００５４】
〈ステップ（ST14）〉
ステップ（ST13）において計測場所に利用者（P）が存在すると判定した場合、信号処理部（52）は、信号検知部（31）におけるセンサ信号の感度を第１レベルに設定する。すなわち、信号検知部（31）におけるセンサ信号の感度は、第１レベルのまま維持される。
【００５５】
〈ステップ（ST15）〉
次に、信号処理部（52）は、第１信号処理を行う。すなわち、第１信号処理は、計測場所に利用者（P）が存在している場合に行うための信号処理である。第１信号処理では、信号処理部（52）は、信号検知部（31）からのセンサ信号に含まれる第１信号成分（利用者（P）の生体活動に由来する信号成分）に基づいて、利用者（P）の生体活動に関する第１情報を生成して出力する。具体的には、第１信号処理では、信号処理部（52）は、センサ信号の中から第１信号成分を検出し、第１信号成分に対して予め定められた第１処理（例えば、第１信号成分に基づいて利用者（P）の生体活動を評価するための演算処理）を施して第１情報を生成し、第１情報を出力する。第１信号処理および第１情報の具体例については、後で詳しく説明する。
【００５６】
〈ステップ（ST16）〉
一方、ステップ（ST13）において計測場所に利用者（P）が存在しないと判定した場合、信号処理部（52）は、信号検知部（31）におけるセンサ信号の感度を第１レベルよりも高い第２レベルに設定する。これにより、感圧部（20）の内圧変化量に対するセンサ信号の振幅変化量が増加する。
【００５７】
〈ステップ（ST17）〉
次に、信号処理部（52）は、第２信号処理を行う。すなわち、第２信号処理は、計測場所に利用者（P）が存在していない場合に行うための信号処理である。第２信号処理では、信号処理部（52）は、信号検知部（31）からのセンサ信号に含まれる第２信号成分（利用者（P）の生体活動とは異なる現象に由来する信号成分）に基づいて、利用者（P）の生体活動とは異なる現象（例えば、気象や騒音）に関する第２情報を生成して出力する。具体的には、第２信号処理では、信号処理部（52）は、センサ信号の中から第２信号成分を検出し、第２信号成分に対して予め定められた第２処理（例えば、第２信号成分に基づいて利用者（P）の生体活動とは異なる現象を評価するための演算処理）を施して第２情報を生成し、第２情報を出力する。第２信号処理および第２情報の具体例については、後で詳しく説明する。
【００５８】
なお、信号処理部（52）は、位置情報（計測位置に関する情報）および時刻情報（計測時刻に関する情報）のうち少なくとも一方を第１情報（または、第２情報）に対応付けて出力するように構成されていてもよい。
【００５９】
〔表示部による動作〕
表示部（53）は、信号処理部（52）から第１情報が供給されると、第１情報を処理して利用者（P）の生体活動に関する第１画像を表示する。また、表示部（53）は、信号処理部（52）から第２情報が供給されると、利用者（P）の生体活動とは異なる現象に関する第２画像を表示する。
【００６０】
〔実施形態１による効果〕
以上のように、第１信号処理を行うことにより、利用者（P）の生体活動（例えば、心拍や呼吸など）に関する第１情報を提供することができ、第２信号処理を行うことにより、利用者（P）の生体活動とは異なる現象（例えば、気象や騒音など）に関する第２情報を提供することができる。
【００６１】
また、計測場所に該利用者（P）が存在すると判定した場合に第１信号処理を行うことにより、感圧チューブ（20）に利用者（P）の生体活動に伴う振動が主に伝達されている場合に、利用者（P）の生体活動に関する第１情報を生成して出力することができる。また、計測場所に利用者（P）が存在しないと判定した場合に第２信号処理を行うことにより、感圧チューブ（20）に利用者（P）の生体活動とは異なる現象に伴う振動が主に伝達されている場合に、利用者（P）の生体活動とは異なる現象に関する第２情報を生成して出力することができる。これにより、第１情報および第２情報を適切に提供することができる。
【００６２】
なお、利用者（P）の生体活動とは異なる現象に伴う振動（感圧部（20）に伝達される振動）が、利用者（P）の生体活動に伴う振動（感圧部（20）に伝達される振動）よりも小さくなっている場合、第２信号処理におけるセンサ信号の変化は、第１信号処理におけるセンサ信号の変化よりも小さくなる。この場合、第２信号処理においてセンサ信号に含まれる第２信号成分が小さくなり、その結果、第２信号処理において第２情報を適切に生成することが困難となるおそれがある。また、第２信号処理におけるセンサ信号の変化を大きくするために、信号検知部（31）におけるセンサ信号の感度を高くすると、第１信号処理においてセンサ信号の変化が大きくなり過ぎて、第１信号処理において第１情報を適切に生成することが困難となるおそれがある。そのため、信号検知部（31）におけるセンサ信号の感度を、第１信号処理において第１レベルに設定し、第２信号処理において第１レベルよりも高い第２レベルに設定することにより、第１および第２信号処理の各々においてセンサ信号の変化を適切にすることができる。これにより、第１および第２信号処理を適切に行うことができる。
【００６３】
〔実施形態１における第１信号処理の具体例（ストレス情報）〕
次に、図５を参照して、実施形態１における信号処理部（52）の第１信号処理について具体的に説明する。この例では、第１情報として利用者（P）のストレスに関するストレス情報が提供される。なお、利用者（P）のストレス度が高くなるに連れて、利用者（P）の搏動間隔のゆらぎの周波数成分比が高くなる傾向がある。したがって、利用者（P）の心拍に基づいて利用者（P）のストレスを評価することが可能である。この例では、信号処理部（52）は、第１信号処理として以下の処理を行う。
【００６４】
〈ステップ（ST21）〉
まず、信号処理部（52）は、センサ信号の中から利用者（P）の心拍に由来する心拍信号成分（第１信号成分）を抽出する。具体的には、信号処理部（52）は、センサ信号の中からＲ波（振幅が比較的に大きい信号成分）に相当する部分を心拍信号成分として抽出する。
【００６５】
〈ステップ（ST22）〉
次に、信号処理部（52）は、センサ信号の中から抽出した心拍信号成分に基づいて、搏動間隔のゆらぎの周波数成分比（詳しくは、高周波数成分に対する低周波数成分の比）を検出する。例えば、低周波数成分は、０．０４〜０．１５Ｈｚの周波数成分であり、高周波数成分は、０．１５Ｈｚよりも高い周波数成分である。具体的には、信号処理部（52）は、所定の区間毎に搏動間隔（すなわち、心拍信号成分の周期）の長さを算出する。そして、信号処理部（52）は、搏動間隔のゆらぎ（搏動間隔の変化）の周波数分析を行うために、搏動間隔データを直線補間して等時間間隔の搏動間隔データを取得する。そして、信号処理部（52）は、等時間間隔の搏動間隔データに対して高速フーリエ変換を行うことにより、搏動間隔のゆらぎの周波数成分比を算出する。
【００６６】
〈ステップ（ST23）〉
次に、信号処理部（52）は、搏動間隔のゆらぎの周波数成分比が予め設定されたストレス閾値（例えば、２）を上回るか否かを判定する。搏動間隔のゆらぎの周波数成分比がストレス閾値を上回る場合にはステップ（ST24）へ進み、そうでない場合にはステップ（ST25）へ進む。
【００６７】
〈ステップ（ST24,ST25）〉
信号処理部（52）は、搏動間隔のゆらぎの周波数成分比がストレス閾値を上回っている場合には、利用者（P）にストレスがあることを示したストレス情報を生成して出力し、搏動間隔のゆらぎの周波数成分比がストレス閾値を上回っていない場合には、利用者（P）にストレスがないことを示したストレス情報を生成して出力する。表示部（53）は、信号処理部（52）からのストレス情報を処理して利用者（P）にストレスに関する画像（例えば、利用者（P）にストレスがあることを示した画像、または、利用者（P）にストレスがないことを示した画像）を表示する。
【００６８】
以上のように、第１信号処理を行うことにより、利用者（P）のストレスに関するストレス情報を提供することができる。
【００６９】
〔実施形態１における第２信号処理の具体例（気象情報）〕
次に、図６を参照して、実施形態１における信号処理部（52）の第２信号処理について具体的に説明する。この例では、第２情報として住居（91）における気象に関する気象情報が提供される。なお、気象に伴う振動は、固有の信号成分を有している。具体的には、気象に伴う振動は、所定の周波数帯域において振幅が大きくなる傾向にある。すなわち、センサ信号に重畳される気象信号成分（気象に由来する信号成分）は、気象に伴う振動に固有の信号成分（例えば、所定の周波数帯域の信号成分）に対応している。したがって、センサ信号に含まれる気象信号成分に基づいて、住居（91）における気象を評価することができる。
【００７０】
なお、この例では、気象の一例として降雨を例に挙げている。ここで、降雨に伴う振動（具体的には、雨音に伴う振動）について説明する。図７(Ａ)は、雨が降っていない場合におけるセンサ信号の周波数成分と振幅（音強）との関係を示し、図７(Ｂ)は、雨が降っている場合におけるセンサ信号の周波数成分と振幅（音強）との関係を示している。図７(Ａ)，図７(Ｂ)に示したように、降雨に伴う振動は、比較的に低い周波数帯域（この例では、３０〜１５０Ｈｚ）における振幅が大きくなっている。すなわち、センサ信号に重畳される降雨信号成分（降雨に由来する信号成分）は、比較的に低い周波数帯域の信号成分に対応している。したがって、センサ信号に重畳される降雨信号成分に基づいて、降雨の有無（雨が降っているかどうか）を判定することが可能である。この例では、信号処理部（52）は、第２信号処理として以下の処理を行う。
【００７１】
〈ステップ（ST31）〉
まず、信号処理部（52）は、センサ信号の中から住居（91）における降雨に由来する降雨信号成分（第２信号成分）を抽出する。具体的には、信号処理部（52）は、センサ信号の中から所定の周波数帯域（例えば、３０〜１５０Ｈｚ）の信号成分を降雨信号成分として抽出する。
【００７２】
〈ステップ（ST32）〉
次に、信号処理部（52）は、降雨信号成分の振幅が予め設定された降雨閾値（例えば、雨量３〜１０ｍｍ／ｈに相当するレベル）を上回るか否かを判定する。降雨信号成分の振幅が降雨閾値を上回る場合にはステップ（ST33）へ進み、そうでない場合にはステップ（ST34）へ進む。
【００７３】
〈ステップ（ST33,ST34）〉
信号処理部（52）は、降雨信号成分の振幅が降雨閾値を上回っている場合には、降雨があることを示した気象情報を生成して出力し、降雨信号成分の振幅が降雨閾値を上回っていない場合には、降雨がないことを示した気象情報を生成して出力する。表示部（53）は、信号処理部（52）からの気象情報を処理して気象に関する画像（例えば、降雨があることを示した画像、または、降雨がないことを示した画像）を表示する。
【００７４】
以上のように、第２信号処理を行うことにより、住居（91）における気象（この例では、降雨）に関する気象情報を提供することができる。
【００７５】
〈気象情報管理センタとの通信〉
また、信号処理部（52）は、位置情報と時刻情報とを気象情報に対応付けて気象情報管理センタ（61）へ送信する。気象情報管理センタ（61）では、気象に関する気象情報の管理が行われる。例えば、気象情報管理センタ（61）は、気象を管理するための施設に設けられている。また、気象情報管理センタ（61）には、通信ネットワークを経由して気象情報を受信して管理する情報処理装置（図示を省略）が設けられている。この情報処理装置は、例えば、通信ネットワークを経由して受信した気象情報に基づいて、地域毎および時間毎の天気を示した気象マップを生成して表示する。
【００７６】
以上のように、位置情報および時刻情報のうち少なくとも一方（この例では、位置情報および時刻情報の両方）が対応付けられた気象情報を提供することにより、位置毎や時間毎に気象情報を管理することができる。
【００７７】
〔実施形態１における第２信号処理の具体例（騒音情報）〕
次に、図８を参照して、実施形態１における信号処理部（52）の第２信号処理について具体的に説明する。この例では、第２情報として住居（91）における騒音に関する騒音情報が提供される。なお、騒音に伴う振動は、固有の信号成分を有している。具体的には、騒音に伴う振動は、所定の周波数帯域（例えば、楽器やペットの騒音に対応する２５０〜１５００Ｈｚ）における振幅が大きくなる傾向にある。すなわち、センサ信号に重畳される騒音信号成分（騒音に由来する信号成分）は、騒音に伴う振動に固有の信号成分（例えば、所定の周波数帯域の信号成分）に対応している。したがって、センサ信号に含まれる騒音信号成分に基づいて、住居（91）における騒音を評価することができる。
【００７８】
〈ステップ（ST41）〉
まず、信号処理部（52）は、センサ信号の中から住居（91）における騒音に由来する騒音信号成分（第２信号成分）を抽出する。具体的には、信号処理部（52）は、センサ信号の中から所定の周波数帯域（例えば、２５０〜１５００Ｈｚ）の信号成分を騒音信号成分として抽出する。
【００７９】
〈ステップ（ST42）〉
次に、信号処理部（52）は、騒音信号成分の振幅が予め設定された騒音閾値（例えば、一般的にうるさいとされる６０ｄＢ）を上回るか否かを判定する。騒音信号成分の振幅が騒音閾値を上回る場合にはステップ（ST43）へ進み、そうでない場合にはステップ（ST44）へ進む。
【００８０】
〈ステップ（ST43,ST44）〉
信号処理部（52）は、騒音信号成分の振幅が騒音閾値を上回っている場合には、騒音があることを示した騒音情報を生成して出力し、騒音信号成分の振幅が騒音閾値を上回っていない場合には、騒音がないことを示した騒音情報を生成して出力する。表示部（53）は、信号処理部（52）からの騒音情報を処理して騒音に関する画像（例えば、騒音があることを示した画像、または、騒音がないことを示した画像）を表示する。
【００８１】
以上のように、第２信号処理を行うことにより、住居（91）における騒音に関する騒音情報を提供することができる。
【００８２】
〈集合住宅管理センタとの通信〉
また、信号処理部（52）は、位置情報と時刻情報とを騒音情報に対応付けて集合住宅管理センタ（62）へ送信する。集合住宅管理センタ（62）では、集合住宅の各住居（91）に関する住居情報の管理が行われる。例えば、集合住宅管理センタ（62）は、集合住宅の管理人室に設けられている。また、集合住宅管理センタ（62）には、通信ネットワークを経由して住居情報を受信して管理する情報処理装置（図示を省略）が設けられている。この情報処理装置は、例えば、通信ネットワークを経由して受信した騒音情報に基づいて、集合住宅の住居（91）毎および時間毎の騒音状況を示した画像を生成して表示する。
【００８３】
以上のように、位置情報および時刻情報のうち少なくとも一方（この例では、位置情報および時刻情報の両方）が対応付けられた騒音情報を提供することにより、位置毎や時間毎に騒音情報を管理することができる。
【００８４】
（実施形態２）
図９および図１０は、実施形態２による情報提供システム（10）の構成例を示している。この例では、利用者（P）の生体活動の計測場所は、利用者（P）が運転者として着席する自動車（93）の運転席（94）に設けられている。具体的には、感圧チューブ（20）は、自動車（93）の運転席（94）に設置されている。このように設置することにより、自動車（93）の運転のために利用者（P）が運転席（94）に座ると、その利用者（P）の生体活動に伴う振動が感圧チューブ（20）に伝達される。また、自動車（93）には、覚醒処理装置（71）と警告処理装置（72）が設置されている。その他の構成は、図１に示した情報提供システム（10）の構成と同様となっている。
【００８５】
〔覚醒処理装置（覚醒処理部）〕
覚醒処理装置（71）は、覚醒させるための刺激（例えば、音や光による刺激）を利用者（P）に与えることができるように構成されている。また、覚醒処理装置（71）は、操作ユニット（50）と通信可能に構成されている。具体的には、覚醒処理装置（71）は、操作ユニット（50）の信号処理部（52）からの情報をインターフェイス部（51）を経由して受信する。例えば、覚醒処理装置（71）は、スピーカやライトやＣＰＵやメモリ（ＣＰＵを動作させるためのプログラムを格納するメモリ）などによって構成されている。なお、覚醒処理装置（71）による動作については、後で詳しく説明する。
【００８６】
〔警告処理装置（警告処理部）〕
警告処理装置（72）は、警告音および警告光のうち少なくとも一方を発することができるように構成されている。また、操作ユニット（50）と通信可能に構成されている。具体的には、警告処理装置（72）は、操作ユニット（50）の信号処理部（52）からの情報（詳しくは、盗難情報）をインターフェイス部（51）を経由して受信する。例えば、警告処理装置（72）は、スピーカやライトやＣＰＵやメモリ（ＣＰＵを動作させるためのプログラムを格納するメモリ）などによって構成されている。なお、警告処理装置（72）による動作については、後で詳しく説明する。
【００８７】
〔信号処理部による動作〕
次に、図１１を参照して、実施形態２における信号処理部（52）による動作について説明する。実施形態２では、信号処理部（52）は、信号検知部（31）におけるセンサ信号の感度を設定するための処理（図４に示したステップ（ST11,S15,S16））を行わない。すなわち、実施形態２では、信号検知部（31）におけるセンサ信号の感度は、所定レベル（例えば、第１レベル）に固定されている。その他の処理は、図１に示した信号処理部（52）の処理と同様となっている。
【００８８】
〔第１信号処理の具体例（眠気情報）〕
次に、図１２を参照して、実施形態２における信号処理部（52）の第１信号処理について具体的に説明する。この例では、第１情報として、利用者（P）の眠気に関する眠気情報が提供される。なお、利用者（P）の眠気が強くなるに連れて、利用者（P）のリラックス度が上昇して利用者（P）の心拍の所定帯域のパワー値の時間勾配が大きくなる傾向にある。したがって、利用者（P）の心拍に基づいて利用者（P）の眠気を評価することが可能である。この例では、信号処理部（52）は、第１信号処理として以下の処理を行う。
【００８９】
〈ステップ（ST51）〉
まず、信号処理部（52）は、センサ信号の中から利用者（P）の心拍に由来する心拍信号成分（第１信号成分）を抽出する。具体的には、信号処理部（52）は、センサ信号の中から通常の心拍の回数である４０〜１２０拍／分に相当する信号成分（周波数成分）を心拍信号成分として抽出する。
【００９０】
〈ステップ（ST52）〉
次に、信号処理部（52）は、心拍信号成分の所定帯域のパワー値の時間勾配を検出する。具体的には、信号処理部（52）は、所定の区間毎に心拍信号成分の所定帯域のパワー値を算出し、そのパワー値の時間的変化（時間軸に対する傾き）を心拍信号成分の所定帯域のパワー値の時間勾配として算出する。
【００９１】
〈ステップ（ST53）〉
次に、信号処理部（52）は、心拍信号成分の所定帯域のパワー値の時間勾配が予め設定された眠気閾値を上回るか否かを判定する。心拍信号成分の所定帯域のパワー値の時間勾配が眠気閾値を上回る場合にはステップ（ST54）へ進み、そうでない場合にはステップ（ST55）へ進む。
【００９２】
〈ステップ（ST54,ST55）〉
信号処理部（52）は、心拍信号成分の所定帯域のパワー値の時間勾配が眠気閾値を上回っている場合には、利用者（P）に眠気があることを示した眠気情報を生成して出力し、心拍信号成分の所定帯域のパワー値の時間勾配が眠気閾値を上回っていない場合には、利用者（P）に眠気がないことを示した眠気情報を生成して出力する。表示部（53）は、信号処理部（52）からの眠気情報を処理して利用者（P）の眠気に関する画像（例えば、利用者（P）に眠気があることを示した画像、または、利用者（P）に眠気がないことを示した画像）を表示する。
【００９３】
また、信号処理部（52）は、眠気情報を覚醒処理装置（71）へ送信する。覚醒処理装置（71）は、信号処理部（52）からの眠気情報が利用者（P）に眠気があることを示している場合に、覚醒させるための刺激を利用者（P）に与える。これにより、運転者である利用者（P）を覚醒させることができ、居眠り運転を防止することができる。
【００９４】
〔第２信号処理の具体例（盗難情報）〕
次に、図１３を参照して、実施形態２における信号処理部（52）の第２信号処理について具体的に説明する。この例では、第２情報として自動車（93）に対する盗難行為に関する盗難情報が提供される。なお、自動車（93）に対する盗難行為に伴う振動は、固有の信号成分を有している。具体的には、自動車（93）に対する盗難行為に伴う振動は、振幅が非常に大きい信号成分を有している。すなわち、センサ信号に重畳される盗難信号成分（自動車（93）に対する盗難行為に由来する信号成分）は、自動車（93）に対する盗難行為に伴う振動に固有の信号成分（例えば、振幅が所定値よりも大きい信号成分）に対応している。したがって、センサ信号に含まれる盗難信号成分に基づいて、自動車（93）に対する盗難行為の有無を判定することができる。この例では、信号処理部（52）は、第２信号処理として以下の処理を行う。
【００９５】
〈ステップ（ST61）〉
まず、信号処理部（52）は、センサ信号の中から自動車（93）に対する盗難行為に由来する盗難信号成分（第２信号成分）を抽出する。具体的には、信号処理部（52）は、センサ信号の中から振幅が予め設定された振幅閾値よりも大きい信号成分を盗難信号成分として抽出する。
【００９６】
〈ステップ（ST62）〉
信号処理部（52）は、盗難信号成分の振幅回数が予め設定された盗難閾値を上回るか否かを判定する。盗難信号成分の振幅回数が盗難閾値を上回る場合にはステップ（ST63）へ進み、そうでない場合にはステップ（ST64）へ進む。
【００９７】
〈ステップ（ST63,ST64）〉
信号処理部（52）は、盗難信号成分の振幅回数が盗難閾値を上回っている場合には、自動車（93）に対する盗難行為があることを示した盗難情報を生成して出力し、盗難信号成分の振幅回数が盗難閾値を上回っていない場合には、自動車（93）に対する盗難行為がないことを示した盗難情報を生成して出力する。表示部（53）は、信号処理部（52）からの盗難情報を処理して自動車（93）に対する盗難行為に関する画像（例えば、自動車（93）に対する盗難行為があることを示した画像、または、自動車（93）に対する盗難行為がないことを示した画像）を表示する。
【００９８】
また、信号処理部（52）は、盗難情報を警告処理装置（72）へ送信する。警告処理装置（72）は、信号処理部（52）からの盗難情報が自動車（93）に対する盗難行為があることを示している場合に、警告音および警告光のうち少なくとも一方を発する。これにより、自動車（93）に対する盗難行為に対して警告を発することができる。
【００９９】
なお、実施形態２において、信号処理部（52）は、信号検知部（31）における上記センサ信号の感度を、第１信号処理において第１レベルに設定し、第２信号処理において第１レベルよりも高い第２レベルに設定するように構成されていてもよい。
【０１００】
（その他の実施形態）
以上の説明では、信号処理部（52）が操作ユニット（50）に設けられている場合を例に挙げたが、信号処理部（52）は、センサユニット（30）に設けられていてもよい。例えば、信号処理部（52）は、センサユニット（30）に設けられたＣＰＵやメモリ（ＣＰＵを動作させるためのプログラムを格納するメモリ）などによって構成されていてもよい。すなわち、信号処理部（52）は、操作ユニット（50）の機能の一部であってもよいし、センサユニット（30）の機能の一部であってもよいし、その他の情報端末の機能の一部であってもよい。
【０１０１】
また、実施形態１では、感圧チューブ（20）が住居（91）内のソファ（92）に設置されている場合を例に挙げたが、感圧チューブ（20）は、住居（91）において利用者（P）が就寝するベッド（図示を省略）に設置されていてもよい。この場合、信号処理部（52）は、第１信号処理において、センサ信号に含まれる心拍信号成分（利用者（P）の心拍に由来する信号成分）に基づいて睡眠情報（利用者（P）の睡眠に関する情報）を生成して出力するように構成されていてもよい。
【０１０２】
また、感圧チューブ（20）が住居（91）や自動車（93）に設置されている場合を例に挙げたが、感圧チューブ（20）は、その他の場所（例えば、農業用ハウスや病院など）に設置されていてもよい。
【０１０３】
また、実施形態１において、信号処理部（52）は、在否判定処理による判定結果を示した在否情報（計測場所における利用者（P）の在否に関する情報）を生成して出力するように構成されていてもよい。例えば、信号処理部（52）は、位置情報（計測位置に関する情報）と時刻情報（計測時刻に関する情報）とを在否情報に対応付けて、その在否情報を集合住宅管理センタ（詳しくは、集合住宅管理センタ（62）に設けられた情報処理装置）へ送信するように構成されていてもよい。このように構成することにより、集合住宅管理センタ（62）において集合住宅における居住者の不在状況（住居（91）が不在状態であるか否か）を確認することができる。
【０１０４】
また、実施形態１において、住居（91）のベランダに開閉可能な屋根（庇）が設けられていてもよい。この屋根（庇）は、信号処理部（52）からの気象情報を受信し、気象情報が降雨があることを示している場合に、閉状態（住居（91）のベランダを覆っている状態）となり、気象情報が降雨がないことを示している場合に、開状態（住居（91）のベランダを覆っていない状態）となるように構成されている。また、住居（91）のベランダに干された洗濯物を回収可能な洗濯物回収装置が設けられていてもよい。この洗濯物回収装置は、信号処理部（52）からの気象情報を受信し、気象情報が降雨があることを示している場合に、住居（91）のベランダに干された洗濯物を回収するように構成されている。
【０１０５】
また、以上の実施形態を適宜組み合わせて実施してもよい。以上の実施形態は、本質的に好ましい例示であって、この発明、その適用物、あるいはその用途の範囲を制限することを意図するものではない。
【産業上の利用可能性】
【０１０６】
以上説明したように、上述の情報提供システムは、生体活動に関する情報などを提供する情報提供システムとして有用である。
【符号の説明】
【０１０７】
１０          情報提供システム
２０          感圧チューブ（感圧部）
３０          センサユニット
３１          信号検知部
３１ａ        受圧部
３１ｂ        増幅部
３２          センサ処理部
４０          インターフェイスユニット
５０          操作ユニット
５１          インターフェイス部
５２          信号処理部
５３          表示部
６１          気象情報管理センタ
６２          集合住宅管理センタ
７１          覚醒処理装置（覚醒処理部）
７２          警告処理装置（警告処理部）
Ｐ            利用者
９１          住居
９２          ソファ
９３          自動車
９４          運転席
【図１】
2016087013.tif 000003
【図２】
2016087013.tif 000004
【図３】
2016087013.tif 000005
【図４】
2016087013.tif 000006
【図５】
2016087013.tif 000007
【図６】
2016087013.tif 000008
【図７】
2016087013.tif 000009
【図８】
2016087013.tif 000010
【図９】
2016087013.tif 000011
【図１０】
2016087013.tif 000012
【図１１】
2016087013.tif 000013
【図１２】
2016087013.tif 000014
【図１３】
2016087013.tif 000015